(57)【要約】【課題】  従来は小便器に直接ハエの絵を描いたり、模型やシールを貼り付けるなどをして用便者の興味を引き、小便のマトが絞られることにより周囲が汚れることを防止していたが、専用の塗料を使用したり、生産業者、又は技術者に依頼するという手間を与えるため、あまり普及していない。又、既製の物ではデザインにおいて限定的である。【解決手段】  流水の方向を変える弁、粘着層、及びあとから粘着することを可能にする粘着層保護シートを有する外層部と、この外層部を小便器の内壁に取り付けるための吸盤、及び温度で黒色から無色透明に変色する変色部、さらに付属品としての製作例既製表示部からなるこれら一式により、需要者が製作できることを特徴とする小便器用マトの製作キットとして構成した。【選択図】図１
2005240526.tif 000002
【特許請求の範囲】
【請求項１】
流水の方向を変える弁、粘着層、及びあとから粘着することを可能にする粘着層保護シートを有する外層部と、この外層部を小便器の内壁に取り付けるための吸盤、及び温度で黒色から無色透明に変色する変色部、さらに付属品としての製作例既製表示部からなるこれら一式により、需要者が製作できることを特徴とする小便器用マトの製作キット。
【請求項２】
請求項１記載の小便器用マトの製作キットであって、需要者が製作した任意製作表示部、又は付属品としての製作例既製表示部を変色部の下に挟むことが可能である旨の説明文書を含むことを特徴とする小便器用マトの製作キット。
【発明の詳細な説明】
【技術分野】
【０００１】  本発明は小便器の内壁に吸盤により取り付ける小便用マトの製作キットに関する。
【背景技術】
【０００２】  公衆が利用する便所において、小便器の外側面、又は小便器手前の床に尿が垂れ落とされることで清掃者の手を煩わしている。そこで、従来は小便器に直接ハエの絵を描いたり模型やシールを貼り付けるなどをして用便者の興味を引き、小便のマトが絞られることにより周囲が汚れることを防止していた。（例えば、下記特許文献１参照。）【０００３】
【特許文献１】  実用新案登録第３０８５４６３号
【発明の開示】
【発明が解決しようとする課題】
【０００４】  上記特許文献１にあっては、小便器の尿受け面の中心線からはずれた位置に、耐水耐尿性の材料で作った小昆虫の模型（蝿）を取り付けたり、絵を貼り付けるといった技術が開示されている。しかしながら、小便器にハエなどの絵を描くことは、専用の塗料を使用したり、生産業者、又は技術者に依頼することをもって可能な手段であるため、あまり普及していない。【０００５】  模型やシール（絵）を貼り付けることに至っては、既製の物を購入することになるため、デザインにおいて限定的である。シールなどは、発注することによりデザインにおいて需要者の必要とするものを生産できるが、それが１枚単位で生産が可能で、且つ安価に提供されているものであっても、需要者に、生産依頼という手間を与えることで馴染めないものになっている。【０００６】  又、シールを剥がしたい時に僅かながらでも接着剤が残るため、むしろ便器を汚してしまう危険性がある。弱い接着効果のものを使用すれば、すぐに剥がれ落ち、これもまた便器を汚してしまう危険性がある。【０００７】  本発明は、以上の問題点を解決し、即時的、簡易的、創作的、且つ便器を汚さずに安価で利用できる小便器用マトの製作キットを提供するためになされたものである。
【課題を解決するための手段】
【０００８】  流水の方向を変える弁、粘着層、及びあとから粘着することを可能にする粘着層保護シートを有する外層部を設ける。【０００９】  この外層部を小便器の内壁に取り付けるための吸盤を設ける。【００１０】  温度で黒色から無色透明に変色する変色部を設ける。【００１１】  付属品として製作例既製表示部（以下、この文献において表示部のキット印刷例を指してこう言う）を設ける。【００１２】  需要者が製作した任意製作表示部、又は付属品としての前記製作例既製表示部を変色部の下に挟むことが可能である旨の説明文書を別に設ける。（請求項２記載）【００１３】  本発明は、以上の構成よりなる一式により、需要者が製作できることを特徴とする小便器用マトの製作キットである。
【発明の効果】
【００１４】  サーモフィルムにより黒色に隠されている部分が、小便の温度により無色透明になることで露出される表示部を持つ小便のマトは、隠された表示部を小便により露出させることに一所懸命になることで、周囲を汚す原因となる尿垂れを防止する効果と、その表示部に込められた需要者の創作的な意図が用便者に伝えられる効果があるが、その興味の対象となりうる露出される表示部、及び小便のマトを、本発明の小便器用マトの製作キットにより需要者自ら製作できることで、生産者や技術者を介さず、アイデアを即時的に使用でき簡単で且つ安価に利用できる。【００１５】  又、前述した効果により、常に新しいものを早く製作できるため、用便者の興味を持続させ永続的に利用できる。【００１６】  小便器の内壁に吸盤により取り付けるため着脱自在であり、接着剤で貼り付けるシールなどに比べ、便器を汚さずに利用できる。
【発明を実施するための最良の形態】
【００１７】  以下、本発明の実施形態を図１〜図６に基づいて説明する。【００１８】  図１に示すように、本発明の実施形態の小便器用マトの製作キットは、ポリエステル性ラミネートフィルムであって、耐水性にすぐれた前面外層部１、及び後面外層部２と、温度により黒色から無色透明に変色する変色部３とを設けており、さらに変色部３の下に任意製作表示部４を挟み込むことができるものである。【００１９】  また、外層部上部には、小便器内壁に取り付けるための吸盤５と、吸盤５を取り付けるための切り込み部６を設ける。【００２０】  外層部上部は、半円形に形成し、切り込み部６よりやや上を折り曲げる。これは小便器内壁を流れる水を前面外層部に促すための弁の役割を果たす流水弁７であり、この流水弁７を機能させるために設けられたものが折り曲げ部８である。この流水により冷された変色部３が無色透明から黒色に変化する。【００２１】  変色部３は２５℃〜３０度程度で無色透明に変色する、可逆性で何度でも使用できるサーモフィルムを使用する。【００２２】  流水弁７、折り曲げ部８、及び切り込み部６で構成される外層部上部は、図２、図３に示すように、結合部１１として既に接着させておき、図６の流水の方向Ａに示すように、取り付けた時に若干反り返る程度の硬度をもたせる。【００２３】  前面外層部１の裏には粘着層９があり、粘着層９が他と接着しないよう粘着層保護シート１０を設ける。この粘着層保護シート１０は、需要者が剥がすことにより、需要者が製作した任意製作表示部４を自分で挟み込んで接着させることを可能にしている。【００２４】  任意製作表示部４には、付属品として、実施例（図７〜図１０）に示すものなどを製作例既製表示部として添付する。【００２５】  製作例既製表示部の他に、写真や絵など平面の表示物であれば、需要者の創造的な意図による表示物を挟み込むことが可能である旨の説明文書を別に設ける。【００２６】  前述した実施形態には、前面外層部１、及び後面外層部２にポリエステル性ラミネートフィルムとして構成したが、本発明はこれに限るものではなく、例えばＰＥＴ材、塩ビシートを耐水加工したラミネートフィルムを使用してもよい。【００２７】  吸盤５においても、前述した実施形態には、吸盤５を取り付けるための切り込み部６を設けるとして構成したが、本発明はこれに限らず、切り込み部を設けずに図４、図５に示すように両面吸盤１２を使用することとしてもよい。
【実施例】
【００２８】  以下、本発明の実施例を図６〜図１０に基づいて説明する。【００２９】  図６は、本発明の小便器用マト製作キットを製作後に、小便器の内壁に取り付けた使用状態を示すものであり、図７、図８は、表示部において挨拶などの表記をした製作例であり、図９は表示部において運試しを思わせる表記をした製作例であり、図１０は、表示部において広告を意図する表記をした製作例である。図７〜図１０は、変色部３が無色透明に変色した後の文字表示を表したものである。
【図面の簡単な説明】
【００３０】
【図１】本発明の実施形態の分解斜視図
【図２】本発明の実施形態の縦断面図
【図３】本発明の製作後の縦断面図
【図４】本発明に両面吸盤を用いた場合の分解斜視図
【図５】両面吸盤の縦断面図
【図６】本発明の製作後の使用状態を示す斜視図
【図７】本発明の表示部における製作例の斜視図
【図８】本発明の表示部における他の製作例の斜視図
【図９】本発明の表示部における他の製作例の斜視図
【図１０】本発明の表示部における他の製作例の斜視図
【符号の説明】
【００３１】１  前面外層部
２  後面外層部
３  変色部
４  任意製作表示部
５  吸盤
６  切込み部
７  流水弁
８  折り曲げ部
９  粘着層
１０  粘着層保護シート
１１  結合部
１２  両面吸盤
４４  製作例既製表示部
Ａ  流水の方向
【図１】
2005240526.tif 000003
【図２】
2005240526.tif 000004
【図３】
2005240526.tif 000005
【図４】
2005240526.tif 000006
【図５】
2005240526.tif 000007
【図６】
2005240526.tif 000008
【図７】
2005240526.tif 000009
【図８】
2005240526.tif 000010
【図９】
2005240526.tif 000011
【図１０】
2005240526.tif 000012